(57)【要約】【課題】ナット取付け孔のための挿入ナットとしても、ネジ取付け孔のためのナットとしても使用することができる中空フレーム用の挿入ナットを提供する。【解決手段】本発明の挿入ナットは、ナット取付け用の角孔４とネジ取付け用の丸孔５とが多数形成された直交する２つの垂直面２，３を備えた中空フレーム内１に挿入されて使用されるもので、角孔４から中空フレーム１内に挿入されるナット本体１０と、ナット本体１０の側方に伸びる腕部１１とを備える。ナット本体１０には、中空フレーム１０内にフレーム長手方向から挿入されたときに丸孔５に対応する丸孔用取付け面１３と、フレーム短手方向の他の垂直面から挿入されたときに角孔４に対応する角孔用取付け面１５とを形成する。【選択図】図３
2008098333.tif 000002
【特許請求の範囲】
【請求項１】
ナット取付け用の角孔とネジ取付け用の丸孔とが多数形成された直交する２つの垂直面を備えた中空フレーム内に挿入されるナットであって、角孔から中空フレーム内に挿入されるナット本体と、ナット本体の側方に伸びる腕部とを備え、ナット本体には中空フレーム内にフレーム長手方向から挿入されたときに丸孔に対応する丸孔用取付け面と、フレーム短手方向の他の垂直面から挿入されたときに角孔に対応する角孔用取付け面とを形成したことを特徴とする挿入ナット。
【請求項２】
ナット本体の表裏の面をそれぞれ、丸孔用取付け面と角孔用取付け面としたことを特徴とする請求項１記載の挿入ナット。
【請求項３】
腕部を丸孔用取付け面からクランク状に屈曲させ、その先端を取手部としたことを特徴とする請求項１記載の挿入ナット。
【請求項４】
取手部を角孔よりも幅広としたことを特徴とする請求項３記載の挿入ナット。
【発明の詳細な説明】
【技術分野】
【０００１】
本発明は、フレーム構造の電気電子機器収納用箱に内部機器や取付けレールを固定するために用いられる挿入ナットに関するものである。
【背景技術】
【０００２】
フレーム構造の電気電子機器収納用箱は、垂直フレームに所定ピッチでナット取付け孔やネジ取付け孔を設け、これらを利用して内部機器や取付けレールを任意の高さに固定できるようにするのが普通である。また強度を得るためにフレーム内部を中空構造とした中空フレームが広く用いられており、その場合には直交する２つの垂直面にナット取付け孔やネジ取付け孔を設け、箱の幅方向にも奥行き方向にも内部機器や取付けレールを固定できるようにしている。
【０００３】
このような中空フレームに用いられるナットとしては、特許文献１の図７〜図９に示されているような、ナット本体の側方に腕部を備えた特殊形状のナットが知られている。このナットは隣り合う２つの垂直面の一方のナット取付け孔に、フレーム短手方向から中空フレームの内部に挿入され、他方の垂直面の同じ高さに形成されたナット取付け孔からナット本体の片面を露出させ、ナットとして機能させるものである。
【０００４】
また、ネジ取付け孔をナット取付け孔の中間高さに設けておき、必要に応じてタップ加工を行い、内部機器や取付けレールをナット取付け孔の中間高さにも固定できるようにしたものも多い。しかし現場においてタップ加工を施すためにネジ山を潰してしまうことがあり、そのような場合には違う高さのネジ取付け孔を利用するしかなく、目的とする位置への取付けが不可能となることがあった。
【特許文献１】特開昭６０−１４８３０６号公報
【発明の開示】
【発明が解決しようとする課題】
【０００５】
本発明は上記した従来の問題点を解決し、従来と同様にナット取付け孔のための挿入ナットとして使用できるのみならず、ネジ取付け孔のためのナットとしても使用することができる中空フレーム用の挿入ナットを提供することを目的とするものである。
【課題を解決するための手段】
【０００６】
上記の課題を解決するためになされた本発明の挿入ナットは、ナット取付け用の角孔とネジ取付け用の丸孔とが多数形成された直交する２つの垂直面を備えた中空フレーム内に挿入されるナットであって、角孔から中空フレーム内に挿入されるナット本体と、ナット本体の側方に伸びる腕部とを備え、ナット本体には中空フレーム内にフレーム長手方向から挿入されたときに丸孔に対応する丸孔用取付け面と、フレーム短手方向の他の垂直面から挿入されたときに角孔に対応する角孔用取付け面とを形成したことを特徴とするものである。
【０００７】
本発明の挿入ナットは、ナット本体の表裏の面をそれぞれ、丸孔用取付け面と角孔用取付け面とすることが好ましい。また、腕部を丸孔用取付け面からクランク状に屈曲させ、その先端を取手部とすることが好ましく、取手部を角孔よりも幅広とすることが好ましい。
【発明の効果】
【０００８】
本発明の挿入ナットは、中空フレーム内にフレーム長手方向から挿入すれば丸孔用ナットとして使用することができ、フレーム短手方向の他の垂直面から挿入すれば角孔用ナットとして使用することができ、１部品で２種類の孔に対応できるので、コストメリットが高い。また表裏２面を使用できるようにし、腕部を丸孔用取付け面からクランク状に屈曲させ、その先端を取手部とすれば、いずれの面を使用する場合にも中空フレームの内部に挿入し易い。さらに取手部を角孔よりも幅広としておけば、誤って中空フレームの内部に落下させてしまうことも防止することができる。
【発明を実施するための最良の形態】
【０００９】
以下に本発明の好ましい実施形態を示す。
図１は実施形態の挿入ナットを示す斜視図、図２はその正面図、平面図、背面図である。また図３はこの挿入ナットが用いられる中空フレームの斜視図、図４はその正面図である。中空フレームは図７に示すように電気電子機器収納用箱の骨格を形成するものである。
【００１０】
先ず中空フレーム１は、少なくとも２つの隣接し且つ直交する垂直面２，３を備えたもので、この実施形態では水平断面が直角二等辺三角形状の中空フレーム１である。各垂直面２，３にはナット取付け用の角孔４とネジ取付け用の丸孔５とが多数形成されている。垂直面２の角孔４、丸孔５は垂直面３の角孔４、丸孔５と同一高さに形成されている。この実施形態では角孔４と丸孔５とを交互に配置しているが、角孔４、角孔４、丸孔５、丸孔５というように２個ずつ配置してもよい。角孔４は正方形であり、丸孔５にはタップ加工は不要である。
【００１１】
これらの角孔４、丸孔５は、図７以下に示すように取付けレール２０や内部機器をボルト２１によって取り付けるために使用されるものであるが、それ自体にはメネジが形成されていないので、本発明のような挿入ナットを中空フレーム１の内部に挿入し、角孔４や丸孔５の裏面から露出させてボルト２１のためのナットとして機能させる。
【００１２】
図１、図２に示すように、この挿入ナットはナット本体１０と、ナット本体１０の側方に伸びる腕部１１とを備え、腕部１１の先端を取手部１２としたものである。取手部１２以外のナット本体１０と腕部１１は、角孔４から中空フレーム１０内に挿入できるサイズとなっている。しかし取手部１２は角孔４よりも幅広とし、誤って中空フレームの内部に落とさないようになっている。
【００１３】
ナット本体１０は片面を丸孔５に対応する丸孔用取付け面１３とし、反対面を角孔５に対応する角孔用取付け面１４としたものである。１５はナット本体１０を貫通するメネジ孔であり、丸孔用取付け面１３と角孔用取付け面１４の中央部に配置されている。この実施形態では同一のメネジ孔１５を両側から使用するように構成してあるが、別個のメネジ孔を形成しても差し支えない。また、ナット本体１０の片面を丸孔用取付け面１３と角孔用取付け面１４とし、同一のメネジ孔１５を片面から使用するものとしてもよい。
【００１４】
図５に示すように、この挿入ナットを縦にして中空フレーム１の角孔４内にフレーム長手方向から挿入したときに、丸孔用取付け面１３が丸孔５の裏面に位置し、丸孔５の中心線とメネジ孔１５の中心線とが一致するようになっている。このため、腕部１１を丸孔用取付け面１３からクランク状に屈曲させてその先端が中空フレーム１の表面に達し、取手部１２が中空フレーム１の表面に沿って延びる形状としてある。なお腕部１１の基部に形成された段部１６はこの使用状態における角孔４との係合部であり、この段部１６を角孔４の端面に当てることによって位置決めができるようになっている。
【００１５】
図６は角孔用取付け面１４を使用する状態を示す図であり、挿入ナットを一方の垂直面２の角孔４にフレーム短手方向から挿入し、ナット本体１を他方の垂直面３の角孔４の裏面に位置させる。このときには角孔用取付け面１４が角孔４から露出し、丸孔５の中心線とメネジ孔１５の中心線とが一致するようになっている。このため、角孔用取付け面１４には角孔４の内面に係合する突出部１７が形成されている。なお腕部１１は図６のように垂直面２の角孔４から突出する。
【００１６】
図７、図８はこのように構成された本発明の挿入ナットの使用状態を示す図であり、図８の矢視Ｂは丸孔用取付け面１３を使用する状態を示し、矢視Ｃは角孔用取付け面１４を使用する状態を示している。これらの図に示すように、垂直面２，３のいずれにも対応可能である
【００１７】
また図９〜図１１は丸孔用取付け面１３を使用し、ボルト２１により取付けレール２０を取り付ける状態を示し、図１２〜図１４は角孔用取付け面１４を使用し、ボルト２１により取付けレール２０を取り付ける状態を示している。これらの図に示されるように、丸孔用取付け面１３を使用する際には取手部１２は中空フレーム１の表面にほぼ密着し、角孔用取付け面１４を使用する際には取手部１２は取付けレール２０の背後に延びるので、他の挿入ナットを取り付ける際にも邪魔にならない。
【００１８】
これらの実施形態は縦フレームにおける挿入ナットの取付構造で説明したが、横フレームや奥行フレームでも同様に取り付くことはいうまでもない。
【００１９】
以上に説明したように、本発明の挿入ナットはナット取付け用の角孔４のための挿入ナットとして使用できるのみならず、ネジ取付け用の丸孔３のためのナットとしても使用することができる。このため従来のように丸孔３にタップ加工を施したり、別のナットを用いたりする必要がない。また実施形態のような形状にしておけば、位置決めが容易であるうえ、取手部１２が角孔４を通過できないので、中空フレーム１の内部に落としてしまうおそれもないなど、多くの利点がある。
【図面の簡単な説明】
【００２０】
【図１】実施形態の挿入ナットを示す斜視図である。
【図２】実施形態の挿入ナットを示す正面図、平面図、背面図である。
【図３】挿入ナットが用いられる中空フレームの斜視図である。
【図４】中空フレームの正面図である。
【図５】丸孔用取付け面を使用する状態の断面図である。
【図６】角孔用取付け面を使用する状態の断面図である。
【図７】中空フレームの斜視図である。
【図８】中空フレームへの取付け状態を示す斜視図である。
【図９】丸孔用取付け面を使用し、中空フレームへ取付けレールをボルト固定する状態を示す斜視図である。
【図１０】図９の要部拡大斜視図である。
【図１１】要部拡大正面図である。
【図１２】角孔用取付け面を使用し、中空フレームへ取付けレールをボルト固定する状態を示す斜視図である。
【図１３】図１２の要部拡大斜視図である。
【図１４】要部拡大正面図である。
【符号の説明】
【００２１】
１  中空フレーム
２  垂直面
３  垂直面
４  角孔
５  丸孔
１０  ナット本体
１１  腕部
１２  取手部
１３  丸孔用取付け面
１４  角孔用取付け面
１５  メネジ孔
１６  段部
１７  突出部
２０  取付けレール
２１  ボルト
【図１】
2008098333.tif 000003
【図２】
2008098333.tif 000004
【図３】
2008098333.tif 000005
【図４】
2008098333.tif 000006
【図５】
2008098333.tif 000007
【図６】
2008098333.tif 000008
【図７】
2008098333.tif 000009
【図８】
2008098333.tif 000010
【図９】
2008098333.tif 000011
【図１０】
2008098333.tif 000012
【図１１】
2008098333.tif 000013
【図１２】
2008098333.tif 000014
【図１３】
2008098333.tif 000015
【図１４】
2008098333.tif 000016